(57)【要約】【課題】  長時間使用しても疲労することなく且つ作業者が容易に動き周りながら使用することができる空圧ポンプを提供する。【解決手段】  本発明の空圧ポンプ１は、シリンダ２と該シリンダ内で摺動して空気を圧縮するピストン３とを有する空気圧縮装置と、空気圧縮装置を人の脛に取付けるための取付装置５、６と、上記空気圧縮装置に連結されると共に該空気圧縮装置が取付けられた人の足踏み運動を該空気圧縮装置のピストンの往復運動に変換する運動変換装置とを具備する。【選択図】      図１
2006105018.tif 000002
【特許請求の範囲】
【請求項１】
シリンダと該シリンダ内で摺動して空気を圧縮するピストンとを有する空気圧縮装置と、
空気圧縮装置を人の脛に取付けるための取付装置と、
上記空気圧縮装置に連結されると共に該空気圧縮装置が取付けられた人の足踏み運動を該空気圧縮装置のピストンの往復運動に変換する運動変換装置とを具備する空圧ポンプ。
【請求項２】
上記空気圧縮装置は人の脛の外側部に取付けられ、上記運動変換装置は、上記シリンダに連結された中空パイプと、上記ピストンに連結されると共に前記中空パイプ内を摺動する伝達ロッドと、上記空気圧縮装置が取付けられた人の足踏み運動中に該人の脚が上がると互いに離間され且つ該人の脚が下がると互いに接近する二つの作動部材とを有し、これら作動部材のうちの一方が人の足底に取付けられると共に上記中空パイプに取付けられ、これら作動部材のうちの他方が上記伝達ロッドに取付けられる請求項１に記載の空圧ポンプ。
【請求項３】
上記足底に取付けられる作動部材が足底の回動方向に回動するように上記中空パイプの端部に取付けられる請求項２に記載の空圧ポンプ。
【請求項４】
足踏み運動が行われても上記空気圧縮機構のピストンの往復運動が行われないようにロックするロック機構をさらに具備し、該ロック機構によるロックが行われているときには上記作動部材は互いに隣接して位置決めされる請求項２または３に記載の空圧ポンプ。
【発明の詳細な説明】
【技術分野】
【０００１】
本発明は、空圧ポンプに関する。
【背景技術】
【０００２】
従来から、例えば自転車のタイヤに空気を入れる場合等に、手動の空圧ポンプが使用されている。このような手動の空圧ポンプには、主に手押し式と足踏み式との二つのタイプがある。手押し式空圧ポンプは、腕の力によってピストンを駆動することで空気を圧縮しており、足踏み式空圧ポンプは、脚の踏込み力によってピストンを駆動することで空気を圧縮している。
【０００３】
このような手動の空圧ポンプは災害時等における利用が期待されている。すなわち、災害時には電力等が一時的に使えなくなる場合がほとんどである。また動力付きの救助機器をすべての地域に容易しておくことは非常に困難である。このため、災害時には人力による災害救助活動に頼らなければならない場合が多く、バールやハンマ等、各家庭で保有する道具を利用せざるを得ない。このような場合、空圧駆動型の各種救助機器が利用できると救助活動を非常に効率的に行うことができる。そこで、かかる空圧駆動型の各種救助機器に圧縮空気を提供するために手動の空圧ポンプを利用することが期待されている。
【０００４】
このように手動の空圧ポンプを災害時に利用するには、空圧ポンプを長時間使用しても疲れにくく、また作業者が他の救助活動を行いながら、すなわち作業者が動き回りながら、空圧ポンプを使用することができることが必要である。しかし、手押し式空圧ポンプでは、腕の力を利用しているため作業者が疲れやすく、長時間の使用は困難である。また、足踏み式空圧ポンプは地面において使用されるが、安定性が悪く、また足を足踏み式空圧ポンプの踏込み部から外し易いため、使用しにくいことが多い。さらに、いずれの空圧ポンプも一箇所に留めて使用されるため、例えば作業者が場所を移動しながらこれら空圧ポンプを使用するには不向きであった。
【０００５】
そこで、非特許文献１の空圧ポンプでは、当該空圧ポンプを人の足先に装着することができるようにしている。この空圧ポンプは、人の足踏み運動のエネルギを空気圧縮のエネルギに変換するものである。この空圧ポンプは人の足先に装着されるため、空圧ポンプを使用する作業者が歩行しながら、または空圧ポンプの使用とは別の作業をしながら、空圧ポンプによって空気の圧縮を行うことができる。
【０００６】
【非特許文献１】広瀬茂男、阿部顕一「災害時救助作業に使用できる高性能家庭用空気入れの開発」、ロボティクス・メカトロニクス講演会’０１講演論文集、１Ｐ１−Ｅ８（１）−（２）（２００１）
【非特許文献２】萩原哲夫、阿部顕一、広瀬茂男、松下好夫、田辺和弘、小泉秀巨「新しい災害救助ジャッキの開発」、月刊消防、２５−６、ｐｐ．７８−８４（２００３）
【発明の開示】
【発明が解決しようとする課題】
【０００７】
しかしながら、非特許文献１に記載の空圧ポンプでは、基本的に空圧ポンプ全体が人の足首よりも下方の足先に取付けられるため、足先が重くなり、足首の運動が不自由になる。このため、実際に非特許文献１に記載の空圧ポンプを装着して歩行するには困難が伴う。このため、この空圧ポンプを災害時に長時間使用すると、作業者の極端な疲労を招いてしまう。
【０００８】
そこで、本発明の目的は、長時間使用しても疲労することなく且つ作業者が容易に動き周りながら使用することができる空圧ポンプを提供することにある。
【課題を解決するための手段】
【０００９】
上記課題を解決するために、第１の発明では、シリンダと該シリンダ内で摺動して空気を圧縮するピストンとを有する空気圧縮装置と、空気圧縮装置を人の脛に取付けるための取付装置と、上記空気圧縮装置に連結されると共に該空気圧縮装置が取付けられた人の足踏み運動を該空気圧縮装置のピストンの往復運動に変換する運動変換装置とを具備する空圧ポンプが提供される。
第１の発明によれば、空気圧縮装置が人の脛に取付けられるため、足首よりも下方の足先には重量のある構成要素は取付けられない。このため、空圧ポンプを装着した作業者は足首の運動が不自由になることなく足踏み運動により空気の圧縮を行うことができる。
【００１０】
第２の発明では、第１の発明において、上記空気圧縮装置は人の脛の外側部に取付けられ、上記運動変換装置は、上記シリンダに連結された中空パイプと、上記ピストンに連結されると共に前記中空パイプ内を摺動する伝達ロッドと、上記空気圧縮装置が取付けられた人の足踏み運動中に該人の脚が上がると互いに離間され且つ該人の脚が下がると互いに接近する二つの作動部材とを有し、これら作動部材のうちの一方が人の足底に取付けられると共に上記中空パイプに取付けられ、これら作動部材のうちの他方が上記伝達ロッドに取付けられる。
第２の発明によれば、足底に取付けられた作動部材（例えば、下記実施形態におけるステップ）が中空パイプを介してシリンダに連結され、別の作動部材（例えば、下記実施形態におけるベース）が伝達ロッドを介してピストンに連結される。したがって、足踏み運動中に脚が上がると作動部材が互いに離間されて、その結果ピストンがシリンダ内で一方の向きに摺動せしめられ、逆に脚が下がると作動部材が互いに接近せしめられて、その結果ピストンがシリンダ内で上記一方の向きとは反対向きに摺動せしめられる。
【００１１】
第３の発明では、第２の発明において、上記足底に取付けられる作動部材が足底の回動方向に回動するように上記中空パイプの端部に取付けられる。
第３の発明によれば、足底に取付けられる作動部材が足底の回動方向に回動する。このため、空圧ポンプを装着した作業者が足首を動かした場合に、該作動部材は足首の動きに合わせて足底に追従するように回動することができる。よって、作動部材を足底に取付けても作業者の足首の運動の自由が奪われることがなく、よって作業者は空圧ポンプを装着してもほとんど違和感なく容易に歩行することができる。
【００１２】
第４の発明では、第２または第３の発明において、足踏み運動が行われても上記空気圧縮機構のピストンの往復運動が行われないようにロックするロック機構をさらに具備し、該ロック機構によるロックが行われているときには上記作動部材は互いに隣接して位置決めされる。
ピストンがシリンダ内で往復運動を行う際には空気の圧縮が行われることにより作業者は歩行、特に足踏み運動を行うにあたり多少の抵抗を感じる。したがって、空気の圧縮作業が不要なときには、歩行に対する抵抗を減らすためピストンによって空気の圧縮作業を行わないようにすることが好ましい。第４の発明によれば、空気の圧縮作業の不要なときにロック機構により足踏み運動中における空気圧縮機構のピストンの往復運動を停止させることができる。このため、作業者が空気の圧縮作業が不要であると判断した場合には、ロック機構によりロックを行うことで空気の圧縮作業を停止させることができる。また、ロック機構によるロックが行われているときには作動部材は互いに隣接して位置決めされるため、足底に取付けられる作動部材とは別の作動部材が足底に取付けられる作動部材から離れて位置決めされることによって歩行の障害となることが防止される。
【発明の効果】
【００１３】
本発明によれば、空圧ポンプを装着した作業者は足首の運動が不自由になることなく足踏み運動により空気の圧縮を行うことができるため、長時間使用しても疲労することなく且つ作業者が容易に動き周りながら空圧ポンプを使用することができる。
【発明を実施するための最良の形態】
【００１４】
以下、図面を参照して本発明の空圧ポンプについて詳細に説明する。図１は本発明の空圧ポンプが人に取付けられている状態を示した図であり、図２は本発明の空圧ポンプの斜視図であり、図３は本発明の空圧ポンプの断面斜視図である。なお、以下の説明では、空圧ポンプ１を装着する作業者の足先から大腿へ向かう方向を上、大腿から足先へ向かう方向を下として説明する。
【００１５】
図１〜図３を参照すると、空圧ポンプ１は、シリンダ２と該シリンダ２内でシリンダ２の軸線方向に摺動するピストン３とを具備する。シリンダ２の上部にはシリンダ２周りの外気をシリンダ２内へ流入させるための吸入孔２ａと、シリンダ２内から空気を流出させるための吐出孔２ｂとが配置される。吸入孔２ａにはシリンダ２の外部からシリンダ２内への空気の流れのみを許可し、シリンダ２内から大気中へ空気が放出されるのを遮断する逆止弁（図示せず）が設けられている。一方、吐出孔２ｂは、例えば、ホース等の空気導管（図示せず）を介して、空圧駆動型の各種機器等に接続される。また、吐出孔２ｂには逆止弁や、定圧開放弁（例えば、特開２０００−１９３１１２公報に記載の弁）等が設けられる。
【００１６】
シリンダ２の外部にはシリンダホルダ４ａおよび４ｂが設けられる。シリンダホルダ４ａおよび４ｂはシリンダ２の外面上方および外面下方にそれぞれ固定される。シリンダホルダ４ａ、４ｂには人の脛の側面に沿うように僅かに湾曲せしめられた脛取付具５が固定される。脛取付具５とシリンダ２の外面との間にはシリンダ２の軸線方向とは垂直な方向に延びる僅かな隙間ができ、この僅かな隙間にベルト６が通される。ベルト６は作業者の脛に巻き付けられ、これによりシリンダ２が作業者の脛に取付けられる。特に、本実施形態では、図１に示したようにシリンダ２は脛の外側部に取付けられる。
【００１７】
また、シリンダ２の下端部にはシリンダ２と同軸に延びる中空パイプ７が固定される。シリンダ２に固定されている側とは反対側の中空パイプ７の端部には、ステップ（作動部材）８を取付けるためのステップホルダ９が設けられる。ステップ８は、中空パイプ７に対してほぼ垂直に延びる垂直板状部材と中空パイプ７に平行に延びる平行板状部材とを有するＬ字状であり、垂直板状部材が中空パイプ７の軸線に対して垂直な軸線周りで回転可能なように留めネジ１０により中空パイプ７に取付けられる。図２および図３から分かるように、ステップ８は留めネジ１０回りで回転可能である。
【００１８】
ステップ８の両端部には、ベルト１１（図１参照）を通すためのスロット１２、１３が設けられる。空圧ポンプ１を作業者に装着した際には、図１に示したようにステップ８が足底に位置し且つ接触すると共にベルト１１が足の甲および踵上に位置し、これにより作業者の足がステップ８に繋止される。このとき、ステップ８は回転可能であるため、作業者が足首を曲げてもステップ８は作業者の足底に接触したままであり、且つ作業者に違和感を与えることがない。このため、作業者は、空圧ポンプ１を装着して、ステップ８をベルト１１によって足底に取付けても、ほとんど違和感無く歩行等の動作を行うことができる。
【００１９】
ピストン３の下端部には伝達ロッド１４が固定される。伝達ロッド１４は、中空パイプ７と同軸に延びると共に中空パイプ７内で摺動可能であり、シリンダ２に対するピストン３の動きに合わせて中空パイプ７に対して摺動せしめられる。ピストン３に固定されている側とは反対側の伝達ロッド１４の端部は、伝達ロッド１４が中空パイプ７に対して如何なる位置に移動しても常にステップホルダ９が設けられた中空パイプ７の端部から突出している。また、上記伝達ロッド１４の端部には、伝達ロッド１４に対してほぼ垂直に且つステップ８の垂直板状部材と平行に延びるベース（作動部材）１５が設けられる。本実施形態では、ベース１５は伝達ロッド１４を直角に湾曲させ、湾曲した伝達ロッド１４の部分の外面上に該伝達ロッド１４の部分を覆うようにベースカバー１６を配置することによって形成されている。伝達ロッド１４は、段付き部１７よりも下方においてその外径が大きくなっており、段付き部１７よりも上方においては伝達ロッド１４の外面と中空パイプ７の内面とは離間されているが、段付き部１７よりも下方においては伝達ロッド１４の外面と中空パイプ７の内面とは摺動可能に接触している。
【００２０】
中空パイプ７と伝達ロッド１４との間には、シリンダ２に固定されている側の中空パイプ７の端部に隣接してスペーサ２０が配置される。スペーサ２０の長さは伝達ロッド１４の摺動距離またはピストン１３の摺動距離よりも僅かに長く、またスペーサ２０の外面は中空パイプ７の内面に固定される。したがって、伝達ロッド１４は、スペーサ２０の内面内で摺動せしめられる。また、スペーサ２０の下端と伝達ロッド１４の段付き部１７との間にはつる巻きバネ２１が配置されており、つる巻きバネ２１は段付き部１７を下方へと付勢している。したがって、伝達ロッド１４は中空パイプ７に対して下方に付勢されており、その結果、ピストン３はシリンダ２に対して下方に付勢され且つベース１５はステップ８から離れるように付勢されている。
【００２１】
図４は、上述したように構成された本発明の空圧ポンプを作業者に装着して使用している様子を示している。図４（ａ）に示したように、作業者が歩行のために脚を上げると、つる巻きバネ２１によりステップ８がベース１５から離間され、これに伴ってシリンダ２に対してピストン３が下降せしめられ、シリンダ２とピストン３とによって画成される空気圧縮室２２が膨張せしめられる。したがって、図４（ａ)に示した場合には、吸入孔２ａを介して空気圧縮室２２に空気が吸入される。
【００２２】
一方、図４（ｂ）に示したように、作業者が歩行中に脚を下げると、ベース１５が地面に接地し、作業者の足底によりステップ８が踏まれることにより、ベース１５とステップ８とが接近せしめられ、これに伴ってシリンダ２に対してピストン３が上昇せしめられ、空気圧縮室２２が収縮せしめられる。したがって、図４（ｂ）に示した場合には、吐出孔２ｂを介して空気圧縮室２２から空気が流出せしめられる。
【００２３】
したがって、本発明の空圧ポンプ１によれば、空圧ポンプ１を装着した作業者が歩行することにより、特に該作業者の足踏み運動により、空気が圧縮せしめられ、圧縮された空気が吐出孔２ｂから流出せしめられる。特に、本実施形態では、ステップ８が回転可能であるため、ステップ８は作業者の足首の動きに追従するので、作業者の足首の運動の自由を奪うことがなく、よって作業者は空圧ポンプ１を装着してもほとんど違和感なく容易に歩行することができる。このため、本発明の空圧ポンプ１を長時間使用しても作業者が空圧ポンプ１の使用により疲労を感じることが少なくなり、例えば、災害時等に本発明のポンプを有効に使用することができる。
【００２４】
なお、上記実施形態では、吸入孔２ａおよび吐出孔２ｂが共にシリンダ２の上部に配置されているが、吐出孔２ｂのみをシリンダ２の上部に設け、吸入孔２ａをシリンダ２の下部に配置してもよい。この場合、ピストン３に逆止弁が設けられる。したがって、空気圧縮室２２の膨張の際には吐出孔２ｂとピストン３に設けられた逆止弁とを介して空気圧縮室２２に空気が吸入されると共に、空気圧縮室２２の収縮の際には空気圧縮室２２からピストン３に設けられた逆止弁を介して空気が流出することが禁止され、よって吐出孔２ｂのみから空気が流出せしめられる。
【００２５】
次に、図５および図６を参照して、本実施形態の空圧ポンプ１に用いられるロック機構３０について説明する。図５はロック機構３０の分解斜視図であり、図６は中空パイプ７の外面上に取付けられた状態にあるロック機構３０の断面図である。
【００２６】
ロック機構３０は、中空パイプ７の外面上であってシリンダ２に近接して配置される。図５に示したように、ロック機構３０は、ロックカバー３１と、ロックカバー３１の下方に配置されるロックボトム３２と、ロックカバー３１の内側に配置される渦巻バネ３３と、渦巻バネ３３の内側に配置される渦巻スペーサ３４とを有する。
【００２７】
渦巻スペーサ３４は、図５に示したように、ほぼＣ字形状の部材であり、渦巻スペーサ３４の内面の半径は、中空パイプ７の外面の半径とほぼ同一またはそれよりも僅かに大きく、渦巻スペーサ３４は中空パイプ７の外面上を周方向に摺動可能である。また、渦巻スペーサ３４の外径は一方の端部３４ａから他方の端部３４ｂに向かって徐々に大きくなっており、よって渦巻スペーサの径方向の厚みは一方の端部３４ａから他方の端部３４ｂに向かって徐々に厚くなっている。
【００２８】
渦巻バネ３３は、渦巻状のバネであり、一方の端部が他方の端部よりも径方向内側に位置する（以下、径方向内側に位置する渦巻バネ３３の端部を「内側端部３３ａ」、径方向外側に位置する渦巻バネ３３の端部を「外側端部３３ｂ」と称する）。渦巻バネ３３の内側端部には、渦巻バネ３３の内面から径方向内側に延びる突出部材３５が設けられる。渦巻バネ３３は、渦巻スペーサ３４の端部間の開口部に突出部材３５が延びるように渦巻スペーサ３４の外面上に配置される。したがって、突出部材３５は、渦巻スペーサ３４の内面よりも径方向内側へと突出する。
【００２９】
ロックカバー３１は円筒壁とこの円筒壁の上方に配置された環状部材とを有し、内部に渦巻バネ３３と渦巻スペーサ３４との組立体を収容する。渦巻バネ３３の外側端部３３ｂ近傍に形成されたボルト孔３３ｃと、渦巻スペーサ３４の端部３４ｂに形成されたボルト孔３４ｃと、ロックカバー３１に形成されたボルト孔３１ａとを整列させてボルト（図示せず）をネジ込むことによりこれら三つの構成要素が互いに連結せしめられる。
【００３０】
ロックボトム３２は環状の部材であり、ロックカバー３１の下側に嵌合せしめられる。ロックカバー３１に形成されたボルト孔３１ｂとロックボトム３２に形成されたボルト孔３２ａとを通してボルト（図示せず）をネジ込むことによりロックカバー３１とロックボトム３３とが結合せしめられる。
【００３１】
図７および図８は、本発明の空圧ポンプ１の上部の斜視図である。図７（ｂ）は、シリンダ２およびロック機構３０の一部を省略した図であり、図７（ｃ）はさらに中空パイプ７の一部を省略した図であり、図８（ａ）はさらにスペーサ２０の一部を省略した図であり、図８（ｂ）はさらに渦巻バネ１８のみ全体を示すようにした図である。
【００３２】
図７（ｂ）に示したように、中空パイプ７にはシリンダ２に近接してスロット３６が形成される。スロット３６は中空パイプ７の外面から内面まで貫通していると共に周方向に所定角度（本実施形態では約９０°）だけ延び、中空パイプ７の軸線方向におけるスロット３６の長さは突出部材の長さＬとほぼ同一の長さであるかまたはそれより僅かに長い。ロック機構３０は、突出部材３５がスロット３６内に位置するように中空パイプ７の外面上に配置される。したがって、ロック機構３０は、突出部材３５がスロット３６内に位置する範囲で中空パイプ７上において周方向に回動可能であり、本実施形態では約９０°だけ回動することができる。
【００３３】
図６および図７（ｃ）に示したように、スペーサ２０にはシリンダ２に近接して案内溝３７が形成される。案内溝３７はスペーサ２０の外面から内面まで貫通していると共に伝達ロッド１４の軸線方向に延びる。また、案内溝３７の上方には案内溝３７から案内溝３７の延在方向とは垂直な方向に延びる傾斜切欠部３８が形成される。傾斜切欠部３８の外面は、スペーサ２０の周方向に傾斜しており、案内溝３７から離れるにつれてスペーサ２０の径方向の高さが徐々に高くなっている。
【００３４】
スペーサ２０は、中空パイプ７のスロット３６の周方向における一方の端部に案内溝３７と傾斜切欠部３８が位置するように、中空パイプ７に固定される。したがって、ロック機構３０を回動可能な範囲で図７（ｃ）の矢印Ｒの方向に回動させると、最初に突出部材３５の先端はスペーサ２０の外面上を摺動しており、その後、傾斜切欠部３８の外面上を摺動し、最後に案内溝３７内へ侵入する。この場合、突出部材３５は周方向に移動しつつ径方向内側に向かって移動することになる。逆に、ロック機構３０を回動可能な範囲で図７（ｃ）の矢印Ｒの方向とは反対方向に回動させると、最初に案内溝３７内に侵入している状態から傾斜切欠部３８の外面上を摺動し、その後スペーサ２０の外面上を摺動する。この場合、突出部材３５は周方向に移動しつつ径方向外側に向かって移動することになる。
【００３５】
一方、伝達ロッド１４の外面上には伝達ロッド１４の外面から径方向に突出する突出ピン３９が配置される。突出ピン３９は、スペーサ２０、すなわち中空パイプ７に対する伝達ロッド１４の動きに応じて案内溝３７内を摺動する。したがって、シリンダ２に対してピストン３が上方に移動すると、すなわちステップ８に接近するようにベース１５が移動すると突出ピン３９は案内溝３７の上方に位置し、逆に、シリンダ２に対してピストン３が下方に移動すると、すなわちステップ８から離間されるようにベース１５が移動すると突出ピン３９は案内溝３７の下方に位置する。
【００３６】
したがって、ロック機構３０が矢印Ｒの方向に回動せしめられて突出部材３５が案内溝３７内に侵入した状態（以下、「ロック状態」と称す）にある場合、突出ピン３９が案内溝３７内において突出部材３５よりも上方にあると、突出ピン３９の下方への移動は突出部材３５によって阻止され、よって伝達ロッド１４は中空パイプ７に対して下方に移動することができない。このため、伝達ロッド１４は中空パイプ７に対して上方の位置に位置決めされ、ステップ８とベース１５とは接近した状態に、すなわち互いに隣接した状態に保持され、シリンダに対するピストンの移動も停止せしめられる（以下、「ロックされる」と称す）。
【００３７】
また、突出部材３５はその下方に傾斜部３５ａを有する（図５参照）。傾斜部３５ａでは、突出部材３５の径方向内側の端部が下方に向かうにつれて径方向外側に傾斜している。このため、ロック機構３０がロック状態にあり、突出部材３５が案内溝３７内に侵入していても、突出部材３５を越える突出ピン３９の上方への移動は許可される。すなわち、突出ピン３９が上方へ移動する際には、突出ピン３９は突出部材３５の傾斜部３５ａに沿って突出部材３５を径方向外側へ押し出しながら移動する。そして、突出ピン３９が突出部材３５の上方にまで移動すると、上述したように突出ピン３９は突出部材３５を越えて下方へ移動することができなくなり、ロックが行われる。
【００３８】
逆に、ロック機構３０が上記ロック状態から矢印Ｒとは反対方向に回動せしめられて突出部材３５が案内溝３７から外れた状態（以下、「非ロック状態」と称す）にある場合、突出ピン３９は案内溝３７内における移動を突出部材３５によって阻止されることがなくなり、案内溝３７内を自由に移動することができる。
【００３９】
このように、ロック機構３０をロック状態にすると、ステップ８およびベース１５やピストン３がロックされるため、空気の圧縮作業が不要なときにはピストンによる空気の圧縮作業が停止せしめられる。特に、ロック機構３０をロック状態にしたときに突出ピン３９が突出部材３５よりも下方に位置しても、作業者が一度足踏み運動をするだけで突出ピン３９が突出部材３５の上方に位置決めされるため、容易にロックを行うことができる。ロックが行われていない場合には、ピストンの空気圧縮作業により歩行者は足踏み運動を行うにあたり多少の抵抗を感じるが、空気の圧縮作業が不要なときには上述したようにロックを行うことにより歩行に対する抵抗を減らすことができる。
【００４０】
なお、ステップ８およびベース１５は図２および図３に示したものに限られず、様々な部材であってよい。特に、ステップは、人の足底に繋止可能であって留めネジ１０回りで回動可能であれば如何なる部材であってもよく、またベース１５は伝達ロッド１４の先端に設けられていれば如何なる部材であってもよい。
【００４１】
図９および図１０は、ステップおよびベースの変更例を示している。図９に示したステップ８’は中空パイプ７に垂直に延びる垂直部４０とこの垂直部４０の両端から垂直に延びる平行部４１、４２とを有する。一方の平行部（以下、「基端側平行部」と称す）４１は留めネジ１０によりステップホルダ９に取付けられ、他方の平行部（以下、「末端側平行部」と称す）４２にはクランプ部材４３が配置される。クランプ部材４３は、垂直部４０上に配置された足底を挟持することができるように基端側平行部４１に向かって垂直部４０上を摺動可能である。クランプ部材４３の移動は、クランプ部材４３に取付けられると共に末端側平行部４２に形成されたネジ孔内で回転可能なクランプネジ４４を回転させることによって行われる。
【００４２】
また、図１０に示したベース８’’は、図９に示したステップ８’と同様に垂直部４０’と二つの平行部４１’、４２’とを有するが、図９に示したステップ８’よりも幅が広く、安定して足底を支えることができる。また。図１０に示したベース８’’では、足底への繋止は末端側平行部４２’の内面に取付けられた弾性部材４５によって行われる。
【００４３】
図９に示したベース１５’は、伝達ロッド１４への取付部分から二股に分かれており、ベース１５’が接地せしめられるとき、ベース１５’が安定して地面上に配置されるようになる。
【００４４】
また、本発明のシリンダ２は、膝下かふくらはぎ下に取付けるのが好ましい。これにより空気の圧縮作業中にシリンダが上方へずれるのを防止することができる。また、伝達ロッド、中空パイプは長さ調節可能であってもよい。これにより、膝下の長さが異なる人に対しても適切に本発明の空圧ポンプを取付けることができるようになる。
【図面の簡単な説明】
【００４５】
【図１】本発明の空圧ポンプが人に取付けられている状態を示した図である。
【図２】本発明の空圧ポンプの斜視図である。
【図３】本発明の空圧ポンプの断面斜視図である。
【図４】本発明の空圧ポンプを作業者に装着して使用している様子を示す図である。
【図５】空圧ポンプに用いられるロック機構の分解斜視図である。
【図６】中空パイプの外面上に取付けられた状態にあるロック機構の断面図である。
【図７】本発明の空圧ポンプ１の上部の斜視図であり、構成要素の一部を部分的に省略した図である。
【図８】本発明の空圧ポンプ１の上部の斜視図であり、構成要素の一部を部分的に省略した図である。
【図９】ステップおよびベースの変更例を示す斜視図である。
【図１０】ステップの変更例を示す斜視図である。
【符号の説明】
【００４６】
１    空圧ポンプ
２    シリンダ
３    ピストン
５    脛取付具
７    中空パイプ
８    ステップ
１０    留めネジ
１１    ベルト
１４    伝達ロッド
１５    ベース
２０    スペーサ
２１    つる巻きバネ
３０    ロック機構
【図１】
2006105018.tif 000003
【図２】
2006105018.tif 000004
【図３】
2006105018.tif 000005
【図４】
2006105018.tif 000006
【図５】
2006105018.tif 000007
【図６】
2006105018.tif 000008
【図７】
2006105018.tif 000009
【図８】
2006105018.tif 000010
【図９】
2006105018.tif 000011
【図１０】
2006105018.tif 000012